(57)【要約】      （修正有）【課題】迅速な情報入力と結果集計が可能なトリアージ・タッグを提供する。【解決手段】トリアージ・タッグ１０の書き込み欄上側の負傷者識別バーコード１を、ハンドスキャナ等で読み込み、続いて治療優先度を識別するもぎりのバーコード２〜５の何れかを読み込むことで、負傷者識別コードとその負傷者の治療優先度コードが迅速に入力され、同時にその時点までの結果集計を可能とする。【選択図】図１
0003121007.tif 000002
【実用新案登録請求の範囲】
【請求項１】
災害等集団医療の負傷者選別に用いられるトリアージ・タッグの、３枚複写からなるタッグ控えに負傷者を識別するバーコードを備え、治療優先度を示す色別されたもぎり部分それぞれにその負傷者の治療優先度を識別するバーコードを備えることにより、ハンドスキャナとパーソナルコンピューターによる一般的な表計算プログラムを利用して、迅速な情報入力と結果集計を特徴としたトリアージ・タッグ。
【考案の詳細な説明】
【技術分野】
【０００１】  本考案は、迅速な情報入力と結果集計が可能なトリアージ・タッグに関するものである。
【背景技術】
【０００２】  トリアージ・タッグは災害等の集団医療の現場におけるトリアージにおいて、多数である負傷者の固有情報を効率的に記録するタッグとして、世界中で使用されている。様々な形式のトリアージ・タッグがあるが、主に日本国内で使用されている形式は書き込み式ともぎり式を併せ持ったものであり、負傷者を特定する氏名等の固有情報を３枚複写からなる書き込み欄に記入し、治療優先度により色別されたもぎりをもぎり取ることによりその装着者の治療優先度を明示する仕組みである。【０００３】  もちろん、トリアージ・タッグの記載が終わった後は、治療優先度の高い負傷者から医療機関へ搬送することになるが、重症者を含む多数の負傷者搬送を少数の医療機関へ集中させると、それら医療機関の収容能力を上回り負傷者の救命処置が間に合わなくなる恐れがある。そのためにトリアージ・タッグの結果は、負傷者の固有情報や治療優先度を明示するだけでなく、複写の１枚を災害現場にて切り離しそれらを回収することにより治療優先度別の負傷者数を集計し、災害現場周辺における搬送圏域内の各医療機関へバランス良く搬送を振り分ける必要がある。【０００４】  しかし、回収したトリアージ・タッグの複写部分ともぎりに対する整理及び集計については統一した手段が確立しておらず、用紙もしくはホワイトボード等に手書きにて記載した一覧表を目視にて手計算で集計する方法が一般的である。集計に時間が掛かるだけでなく、現場が広範囲の場合はこれら情報の集中管理が難しい。【０００５】  この改善策として、ＩＣタグを使用したトリアージ作業の実証実験が行われているが、ＩＣタグ自体及び集計システムにコストが掛かり、搬送後のＩＣタグの回収も手間が掛かることから、自治体及び医療機関への導入はあまり進んではいない。
【考案の開示】
【考案が解決しようとする課題】
【０００６】  解決しようとする課題は、トリアージ作業において普遍的で低コストな方法を用い、より迅速で効率的な情報入力と結果集計を行わなければならないことである。
【課題を解決するための手段】
【０００７】  本考案は、普遍的で低コストなバーコードをトリアージ・タッグに備えることにより、迅速で効率的な情報入力と結果集計を行うことを主要な特徴とする。
【考案の効果】
【０００８】  本考案のトリアージ・タッグは、２枚複写からなるタッグ控えに負傷者を識別するバーコードを備え、治療優先度を示す色別されたもぎり部分それぞれに優先度を識別するバーコードを備えることにより、ハンドスキャナとパーソナルコンピューターにおける一般的な表計算プログラムを利用して、迅速な情報入力と結果集計を可能とする。
【考案を実施するための最良の形態】
【０００９】  図１は、トリアージタッグ本体１０であり、１及び５は、図２と同様である。２枚複写からなるタッグ控え２０は、上面から（災害現場用）、（搬送機関用）であり、複写される最下面のタッグ本体が（収容医療機関用）である。それぞれの同位置に負傷者識別バーコード１が備えてある。【００１０】  負傷者識別バーコードは、先頭の数字に製造年月を含めた重複しない６桁〜１０桁の番号である。トリアージ・タッグを負傷者に装着することにより、その負傷者と負傷者識別バーコードの番号を特定することになる。【００１１】  トリアージ・タッグ下側には、治療優先度を示す色別されたもぎり部分があり、下記の表１の順番で各もぎりに治療優先度を識別するバーコードが備えてある。【００１２】
【表１】
0003121007.tif 000003
【００１３】  タッグ控え上側の負傷者識別バーコードをハンドスキャナ等で読み込み、続いて治療優先度を識別するもぎりのバーコードの何れかを読み込むことで、負傷者識別コードとその負傷者の治療優先度コードが迅速に入力され、同時にその時点までの結果集計が行われる。
【実施例１】
【００１４】  トリアージ実施者は、図１のトリアージ・タッグを負傷者に装着し、重症の場合は負傷者に装着されているタッグ本体に赤色の重症もぎりが残るように、黄色の中等症もぎりをもぎり取る。続いてトリアージ実施者はタッグ控えの複写一枚目（災害現場用）もタッグ本体から剥がし取り、この複写一枚目（災害現場用）２０と黄色の中等症もぎりをステープラー等で固定して、タッグ控え回収ポストに入れる。【００１５】  タッグ控え回収ポストから回収されたこれらのタッグ控えともぎりは、トリアージ集計者によって集計される。まずトリアージ集計者はタッグ控え上側の負傷者識別バーコード１をハンドスキャナ等で読み込み、表計算プログラムに負傷者を識別する番号が入力される。続いて黄色の中等症もぎりのバーコード３を読み込むと、表計算プログラムにその負傷者識別番号に対する重症を識別する数字が入力され、その負傷者が重症であることが表示される。【００１６】  この集計作業を繰り返し行うことにより、その時点までの治療優先度別の人数集計が自動的に行われる。この集計結果により災害現場周辺における搬送圏域内の各医療機関へバランス良く搬送を振り分けることが可能となる。
【実施例２】
【００１７】  図２は、トリアージの結果が軽症であった負傷者のタッグ控えの複写一枚目１１である。軽症者の場合はもぎりが発生しないので、トリアージ集計者の手元にはこの複写１枚目しか届かない。もぎりが着いていない軽症者の場合は、まずタッグ控え上側の負傷者識別バーコード１を読み込み、続いてタッグ控え下側の軽症識別バーコード５を読み込む。
【産業上の利用可能性】
【００１８】  バッテリーを搭載したノートパソコンのＵＳＢ端子に接続する一般的なハンドスキャナと表計算プログラムがあれば、何処でも集計することが出来る。また標準のトリアージ・タッグにバーコードシールを貼ることにより、既存のトリアージ・タッグを無駄なく使用することが出来る。
【図面の簡単な説明】
【００１９】
【図１】  トリアージ・タッグ全体を示した説明図である。（実施例１）
【図２】  トリアージ・タッグのタッグ控えのみを示した説明図である。（実施例１と実施例２）
【符号の説明】
【００２０】  １    負傷者識別バーコード
２    死亡識別バーコード
３    重症識別バーコード
４    中等症識別バーコード
５    軽症識別バーコード
１０    複写一枚目（災害現場用）を切り離した状態のトリアージ・タッグ本体
１１    切り離されたタッグ控えの複写一枚目（災害現場用）
【図１】
0003121007.tif 000004
【図２】
0003121007.tif 000005